(57)【特許請求の範囲】
【請求項１】
Ｘ線を発生する管球を内蔵する本体と、
前記本体の表面である第１表面の一部において前記本体から前記Ｘ線の照射方向に突出して設けられ、照射範囲を整えた前記Ｘ線を照射する照射窓を有するコリメータと、
被検体との距離を保つためのガード部を接続するコネクタであって、前記本体の第１表面と、前記コリメータの前記照射窓を有する表面である第２表面と、の間に有するコネクタと、
前記コネクタに接続した前記ガード部とを備え、
前記ガード部は、
前記コリメータの前記第２表面よりも前記照射方向に向けて延伸した第１柱部、第２柱部、第３柱部、及び、第４柱部と、
前記第２表面よりも前記被検体の側において前記第１柱部と前記第４柱部とを接続する第１梁部と、
前記第２表面よりも前記被検体の側において前記第２柱部と前記第３柱部とを接続する第２梁部と、
前記第２表面よりも前記第１表面の側において前記第１柱部と前記第３柱部とを接続する第３梁部と、
前記第２表面よりも前記第１表面の側において前記第３柱部と前記第４柱部とを接続する第４梁部と、
を備えるＸ線管装置。
【請求項２】
前記コネクタは前記コリメータに設けられている請求項１に記載のＸ線管装置。
【請求項３】
前記コネクタは、前記Ｘ線の照射方向に平行な方向の長さよりも前記Ｘ線の照射方向に垂直な方向の長さの方が長い形状を有する請求項１または２に記載のＸ線管装置。
【請求項４】
前記ガード部は、前記第１柱部と前記第２柱部の間隔、及び、前記第３柱部と前記第４柱部の間隔が前記Ｘ線の照射方向に向けて広がる形状である請求項１〜３のいずれか１項に記載のＸ線管装置。
【請求項５】
前記ガード部は、前記第１柱部と前記第４柱部が平行であり、かつ、前記第２柱部と前記第３柱部が平行である請求項４に記載のＸ線管装置。
【請求項６】
前記ガード部は前記第３梁部と前記第４梁部に前記コネクタを有する請求項１〜５のいずれか１項に記載のＸ線管装置。
【請求項７】
前記本体が直方体形状である場合、
前記第１梁部は、前記第１柱部と前記第４柱部とを前記第１表面の短手方向に接続し、
前記第２梁部は、前記第２柱部と前記第３柱部とを前記第１表面の短手方向に接続し、
前記第３梁部は、前記第１柱部と前記第２柱部とを前記第１表面の長手方向に接続し、
かつ、
前記第４梁部は、前記第３柱部と前記第４柱部とを前記第１表面の長手方向に接続する
請求項１〜６のいずれか１項に記載のＸ線管装置。
【請求項８】
前記本体が直方体形状である場合、前記第１表面の長手方向での比較において、前記ガード部は前記コリメータよりも長く、かつ、前記ガード部は前記本体よりも短い請求項１〜７のいずれか１項に記載のＸ線管装置。
【発明の詳細な説明】
【技術分野】
【０００１】
本発明はＸ線管装置に関する。
【背景技術】
【０００２】
Ｘ線管装置は、Ｘ線を発生する装置であり、Ｘ線を発生するための管球（いわゆるＸ線管）を内蔵する。Ｘ線管装置においては、Ｘ線可動絞りに、被検体側まで突出するハンドルを設けた例（特許文献１）、Ｘ線発生器の被検体側に保護カバーを設けた例（特許文献２）、及び、Ｘ線源等の周囲にカバー（カバーユニット）を設けた例（特許文献３）がある。また、Ｘ線源から突出して、Ｘ線源と被検体との距離を一定に保つためのガイド部を設けた例がある（特許文献４）。【０００３】
この他、回診等のためにＸ線管装置を独立して移動可能とした可搬型Ｘ線管装置においては、コリメータの前面（被写体に向ける面）に、操作用、把持用、もしくは被写体との間隔を保つための部材が設けられる場合がある。例えば、ケンコートキナー社製PX-20HF plus等は、Ｘ線の照射方向の周りに回転可能なコリメータを有し、コリメータの前面にＸ線の照射方向に突出したハンドル（またはガイド部）が設けられている。また、キヤノン社製IPF-21Nは、Ｘ線管とコリメータが一体となったほぼ立方体形状の筐体の前面、Ｘ線の照射方向に向けて突出したハンドル（またはガイド部）が設けられている。
【先行技術文献】
【特許文献】
【０００４】
【特許文献１】特開２０１６−０４７３０８号公報
【特許文献２】特開２０１１−０３０６９９号公報
【特許文献３】特開２０１４−０７９５１８号公報
【特許文献４】特開２０１４−１１０８７２号公報
【発明の概要】
【発明が解決しようとする課題】
【０００５】
Ｘ線管装置には、Ｘ線管装置と被検体との距離が予め定めた特定の距離以上にするガード部を設ける場合がある。しかし、Ｘ線管装置を小型化すると、ガード部を設けるための空間がなくなり、必要な場合でもガード部を取り付けられないという問題がある。そこで、本発明は、小型化した場合においても、ガード部を取り付けられるＸ線管装置を提供することを目的とする。
【課題を解決するための手段】
【０００６】
本発明のＸ線管装置は、Ｘ線を発生する管球を内蔵する本体と、本体の表面である第１表面の一部において本体からＸ線の照射方向に突出して設けられ、照射範囲を整えたＸ線を照射する照射窓を有するコリメータと、被検体との距離を保つためのガード部を接続するコネクタを、本体の第１表面と、コリメータの照射窓を有する表面である第２表面と、の間に備える。【０００７】
コネクタはコリメータに設けられていることが好ましい。【０００８】
コネクタは、Ｘ線の照射方向に平行な方向の長さよりもＸ線の照射方向に垂直な方向の長さの方が長い形状を有することが好ましい。【０００９】
コネクタに接続したガード部を備えることが好ましい。【００１０】
ガード部は、コリメータの第２表面よりも照射方向に向けて延伸した第１柱部、第２柱部、第３柱部、及び、第４柱部と、第２表面よりも被検体の側において第１柱部と第４柱部とを接続する第１梁部と、第２表面よりも被検体の側において第２柱部と第３柱部とを接続する第２梁部と、第２表面よりも第１表面の側において第１柱部と第３柱部とを接続する第３梁部と、第２表面よりも前記第１表面の側において第３柱部と第４柱部とを接続する第４梁部と、を備えることが好ましい。【００１１】
ガード部は、第１柱部と第２柱部の間隔、及び、第３柱部と第４柱部の間隔がＸ線の照射方向に向けて広がる形状であることが好ましい。【００１２】
ガード部は、第１柱部と第４柱部が平行であり、かつ、第２柱部と第３柱部が平行であることが好ましい。【００１３】
ガード部は第３梁部と第４梁部にコネクタを有することが好ましい。【００１４】
本体が直方体形状である場合、第１梁部は、第１柱部と第４柱部とを第１表面の短手方向に接続し、第２梁部は、第２柱部と第３柱部とを第１表面の短手方向に接続し、第３梁部は、第１柱部と第２柱部とを第１表面の長手方向に接続し、かつ、第４梁部は、第３柱部と第４柱部とを第１表面の長手方向に接続することが好ましい。【００１５】
本体が直方体形状である場合、第１表面の長手方向での比較において、ガード部はコリメータよりも長く、かつ、ガード部は本体よりも短いことが好ましい。
【発明の効果】
【００１６】
本発明のＸ線管装置は、ガード部を取り付けることができる小型のＸ線管を提供することができる。
【図面の簡単な説明】
【００１７】
【図１】Ｘ線管装置の斜視図である。
【図２】Ｘ線管装置の斜視図である。
【図３】本体の内蔵物の例を示す説明図である。
【図４】Ｘ線管装置の上面図である。
【図５】Ｘ線管装置の下面図である。
【図６】ガード部を取り付けたＸ線管装置の斜視図である。
【図７】ガード部を取り付けたＸ線管装置の上面図である。
【図８】ガード部を取り付けたＸ線管装置の側面図である。
【図９】変形例におけるＸ線管装置の本体形状を示す説明図である。
【発明を実施するための形態】
【００１８】
図１及び図２に示すように、Ｘ線管装置１０は、本体１１、コリメータ２１、把持部３１、及び、スイッチ４１等を備える。
【００１９】
本体１１は、少なくともＸ線を発生する管球１７（図３参照）を内蔵する。本実施形態においては、本体１１は、ほぼ直方体形状である。ほぼ「直方体形状」とは、ほぼ平行な３組の平面によって外形を形成し、これら各組の面がほぼ９０度に接続することをいう。また、ほぼ「直方体形状」には、上記各組の面の接続部分を面取りし、または、上記各組の面を曲面で接続する場合を含む。
【００２０】
以下、Ｘ線管装置１０によるＸ線の照射方向Ｌ１をＺ方向といい、Ｚ方向にほぼ垂直な方向であって本体１１の長手方向をＸ方向といい、かつ、Ｚ方向及びＸ方向にほぼ垂直な方向であって本体１１の短手方向をＹ方向という。また、被検体（図示しない）を配置するＸ線の照射方向Ｌ１がＺ方向の正方向とし、本体１１の長手方向に沿って把持部３１を有する側をＸ方向の正方向とし、かつ、Ｙ方向の正方向は、Ｘ方向、Ｙ方向及びＺ方向がいわゆる右手系を構成するように定める。
【００２１】
本体１１の表面のうち被検体に面する表面、すなわちコリメータ２１がある表面が本体１１の前面１２（第１表面）である。したがって、本体１１の表面において、前面１２はＸ線を照射する表面である。そして、本体１１の表面のうち、前面１２に対向する前面１２にほぼ平行な表面が本体１１の後面１３である。後面１３には、Ｘ線管装置１０の設定または操作等をするための操作部１６を有する（図２参照）。本実施形態においては、操作部１６はタッチパネルであるが、ボタン、スイッチ、及び／またはディスプレイ等を用いて操作部１６を構成することができる。
【００２２】
本体１１の表面のうち、前面１２及び後面１３を接続する表面は本体１１の側面１４である。すなわち、本体１１の表面のうち前面１２及び後面１３を除く表面は側面１４である。本体１１がほぼ直方体である場合、側面１４は、互いに対向するほぼ平行な上面１４Ａ及び下面１４Ｂと、互いに対向するほぼ平行な右面１４Ｃ及び左面１４Ｄと、を有する。
【００２３】
上面１４Ａは、側面１４のうち、Ｘ線管装置１０をＹ方向負側から見た場合に視認し得る部分である。下面１４Ｂは、側面１４のうち、Ｘ線管装置１０をＹ方向負側から見た場合に視認し得る部分である。右面１４Ｃは、側面１４のうち、Ｘ線管装置１０をＸ方向正側から見た場合に視認し得る部分である。同様に、左面１４Ｄは、側面１４のうち、Ｘ線管装置１０をＸ方向負側からみた場合に視認し得る部分である。したがって、上面１４Ａは、右面１４Ｃ及び／または左面１４Ｄと一部重複する場合がある。同様に、下面１４Ｂは、右面１４Ｃ及び／または左面１４Ｄと一部重複する場合がある。右面１４Ｃは上面１４Ａ及び／または下面１４Ｂと一部重複する場合があり、かつ、左面１４Ｄは上面１４Ａ及び／または下面１４Ｂと一部重複する場合がある。なお、上記各面の定義において、コリメータ２１等の本体１１から突出する部分によって隠れる部分は「視認し得る部分」に含むものとする。
【００２４】
図３に示すように、本実施形態の本体１１は、Ｘ線を発生する管球１７の他に、バッテリ１８、及び、制御回路１９等を内蔵する。バッテリ１８は、管球１７及び制御回路１９等に動作に必要な電力を供給する。制御回路１９は、本体１１の動作を制御する。すなわち、制御回路１９は、管球１７の管電圧、管電流、Ｘ線の発生（照射）タイミング等を制御する。本体１１には、バッテリ１８の代わりに、または、バッテリ１８の搭載に加えて、本体１１の各部に電力を供給する電源（図示しない）と接続するプラグ及びコード等を設けることができる。なお、管球１７はＸ線を発生するＸ線管であるが、本体１１は、Ｘ線管である管球１７の代わりに、Ｘ線以外の放射線を発生する管球を搭載できる。この場合、Ｘ線管装置１０は、管球が発生する放射線の種類に応じて、いわゆる放射線発生装置を構成する。
【００２５】
コリメータ２１は、本体１１の表面である前面１２（第１表面）の一部において本体１１からＸ線の照射方向Ｌ１（Ｚ方向）に突出して設けられ、照射範囲を整えたＸ線を照射する照射窓２３を有する。コリメータ２１を、本体１１の前面１２の「一部」において突出する形状としたのは、Ｘ線管装置１０を外形及び体積等のサイズを小型化するためである。本体１１の前面１２の全体を突出し、本体１１の内部にコリメータ２１を含む形状にすると、本体１１ひいてはＸ線管装置１０の全体の体積が大きくなる。Ｘ線の照射範囲とは、Ｘ線撮影パネル等に到達するＸ線の形状、面積、Ｘ線管装置１０に対する位置等である。管球１７が発生するＸ線は円錐形状に広がるコーンビームであが、Ｘ線撮影パネルの撮影面は一般に長方形である。このため、コリメータ２１は、例えば、管球１７が発生するコーンビームをＸ線撮影パネルの撮影面に合わせて四角錐形状に整え、照射窓２３から照射する。その結果、コリメータ２１は被検体の無駄な被爆を抑える。照射窓２３は、少なくともＸ線を無駄なく透過し得る材料で形成する。照射窓２３を有する表面（第２表面）は、コリメータ２１の前面２２である。なお、コリメータ２１は、Ｘ線の照射範囲を調整するために、１または複数のＸ線遮蔽部材（図示しない）を内蔵し、かつ、これらの内部配置（傾き等）を調整するための操作部（図示しない）を備える。
【００２６】
Ｘ線管装置１０全体の小型化のために、コリメータ２１の部分を小型化する場合には、コリメータ２１は、先端部よりも径が小さい基端部２１Ａを有する。コリメータ２１の基端部２１Ａとは本体１１の前面１２の側の部分であり、コリメータ２１の先端部とは被検体の側の部分である。コリメータ２１を小型化する場合に上記形状とするのは、Ｘ線が照射方向Ｌ１に向けて広がるからである。
【００２７】
把持部３１は、側面１４において本体１１から突出して設けられ、これを把持することにより本体１１（及びＸ線管装置１０の全体）を支持するためのハンドルである。把持部３１は、本体１１の右面１４Ｃ側に設けられている。ユーザは、把持部３１を把持することにより、例えば片手でも本体１１を撮影に必要な姿勢に支持し、かつ、その姿勢を容易に維持することができる。
【００２８】
把持部３１は、本体１１と１箇所または２箇所で接続する。本実施形態においては、把持部３１は、接続点３３Ａ及び接続点３３Ｂの２箇所において本体１１と接続する。このため、把持部３１、及び、本体１１の側面１４である右面１４Ｃは、ループ形状を形成する。接続点３３Ａは、本体１１の上面１４Ａ及び／または右面１４Ｃとの接続点である。接続点３３Ｂは、本体１１の下面１４Ｂ及び／または右面１４Ｃとの接続点である。
【００２９】
把持部３１は、接続点３３Ａと接続点３３Ｂの間にある平板部３２が標準の把持位置である。Ｘ線管装置１０を特殊な姿勢に維持する必要がない限り、通常は、平板部３２を把持することによってＸ線管装置１０の姿勢を撮影に必要な姿勢に容易に支持することができる。本実施形態においては、平板部３２は平板状であるが、任意の形状に平板部３２を形成してもよい。平板部３２は、例えば、曲線的に、または、より立体的なグリップ形状にできる。
【００３０】
スイッチ４１は、Ｘ線管装置１０に対して、Ｘ線の照射準備指示及び／またはＸ線の照射開始指示を入力する。本実施形態においては、スイッチ４１は、本体１１の前面１２の左端（Ｘ方向負側の端）、かつ、左面１４Ｄの前面１２側の端である本体１１の角部分に着脱自在に設けられている。スイッチ４１は、有線または無線により本体１１と接続しており、本体１１に取り付けた状態はもちろん、本体１１から取り外した状態においても照射開始指示等を入力及びその他制御信号を送受信できる。また、スイッチ４１は、本体１１を介して、または、直接に、Ｘ線撮影パネルと同期信号を送信または受信することができ、Ｘ線管装置１０とＸ線撮影パネルとを同期制御することができる。動作について同期とは、特定の時間を遅延して動作する場合を含む。
【００３１】
スイッチ４１は、支持体４２と、押圧操作が可能なボタン４３と、を備える。スイッチ４１を本体１１に取り付けている場合には、支持体４２の表面は、前面１２及び左面１４Ｄ等の本体１１の表面と滑らかに接続する。このため、スイッチ４１は本体１１と一体化する。一方、スイッチ４１を本体１１から取り外した場合には、支持体４２はスイッチ４１を把持するための把持部となる。ボタン４３は、照射開始指示等を本体１１に入力する場合に押圧する。ボタン４３は例えばＸ線の照射準備指示を本体１１に入力する第１段階の押圧操作と、Ｘ線の照射が可能になった後、Ｘ線を実際に照射するために照射開始指示を入力するための第２段階の押圧操作と、の２段階の押圧操作ができる。
【００３２】
上記の他、Ｘ線管装置１０は、被検体との距離を保つためのガード部６１（図６参照）を接続するコネクタ５１Ａ及び５１Ｂを、本体１１の前面１２（第１表面）と、コリメータ２１の照射窓２３を有する表面である前面２２（第２表面）と、の間に備える。本実施形態においては、コネクタ５１Ａ及びコネクタ５１Ｂは、コリメータ２１に設けられている。具体的には、図４及び図５に示すように、本体１１の前面１２とコリメータ２１の前面２２との間の範囲５３であって、コリメータ２１の基端部２１Ａの上面（Ｘ線管装置１０をＹ方向負側から見た場合に視認し得る部分）及び下面（Ｘ線管装置１０をＹ方向負側から見た場合に視認し得る部分）の２箇所に、コネクタ５１Ａとコネクタ５１Ｂとをそれぞれ有する。
【００３３】
コネクタ５１Ａ及びコネクタ５１Ｂは、Ｘ線の照射方向Ｌ１に平行な方向よりもＸ線の照射方向に垂直な方向が長い形状を有する。他の形状とする場合と比較して、ガード部６１との接続強度を高く保てるからである。コネクタ５１Ａ及びコネクタ５１Ｂを上記形状とすれば、接続したガード部６１に衝撃等が加わった場合においてもガード部６１が外れ難く、コネクタ５１Ａ及びコネクタ５１Ｂも破損等し難い。コネクタ５１Ａ及びコネクタ５１Ｂをコリメータ２１の別の側面（Ｘ線管装置１０をＸ方向またはＹ方向から見た場合に視認し得る部分）に設ける場合においても同様である。また、コネクタ５１Ａ及びコネクタ５１Ｂをガード部６１と嵌合または係合等の形態で接続するだけでなく、コネクタ５１Ａ及びコネクタ５１Ｂの一部においてネジ止め、溶接、または接着等により接合する場合も、コネクタ５１Ａ及びコネクタ５１Ｂを上記形状とすることで上記と同様の作用を得られる。
【００３４】
上記のように、ガード部６１と接続するコネクタ５１Ａ及びコネクタ５１Ｂを、本体１１の前面１２とコリメータ２１の前面２２との間に設けることにより、Ｘ線管装置１０は、全体の小型化を達成しつつも、ガード部６１を取り付けにくくなる不具合を解消することができる。具体的には、Ｘ線管装置１０を小型化すると、必然的にコリメータ２１の前面２２の面積が小さくなるので、コリメータ２１の前面２２にはガード部６１を取り付けるためのコネクタを設け難くなる。また、Ｘ線管装置１０を小型化した場合に、コリメータ２１の前面２２にコネクタ５１Ａ及びコネクタ５１Ｂを設置するためのスペースがあるように見えても、コリメータ２１の内部におけるＸ線遮蔽部材の配置等の都合により、実際的にはコリメータ２１の前面２２にはコネクタ５１Ａ及びコネクタ５１Ｂを設けられない場合がある。一方、コリメータ２１の基端部２１Ａは、コリメータ２１の前面２２に比べて管球１７に近いので、管球１７が発生するＸ線の広がり幅は相対的に小さい。このため、Ｘ線管装置１０は、コリメータ２１の前面２２ではなく、本体１１の前面１２とコリメータ２１の前面２２との間に設けることにより、Ｘ線管装置１０を小型化しても、ガード部６１を取り付けられる。
【００３５】
また、Ｘ線管装置１０の軽量化のためにコリメータ２１の外壁を樹脂製にする場合、ガード部６１とのコネクタ５１Ａ及びコネクタ５１Ｂをコリメータ２１の前面２２に設けられたとしても、ガード部６１の接続強度が不足する場合がある。ごく小さい面積でガード部６１の重さ及びガード部６１に加わる衝撃等を受けなければならないからである。この点、Ｘ線管装置１０は、コネクタ５１Ａ及びコネクタ５１Ｂを本体１１の前面１２とコリメータ２１の前面２２との間に設けているので、ガード部６１及びガード部６１に加わる衝撃等を支え得る十分な面積及び形状のコネクタ５１Ａ及びコネクタ５１Ｂを設けることができる。
【００３６】
この他、Ｘ線管装置１０を小型化する場合に、コリメータ２１の前面２２にガード部６１とのコネクタ５１Ａ及びコネクタ５１Ｂを設けると、ガード部６１を設けてもＸ線管装置１０と被検体との距離を必要な一定の距離に保てない場合がある。ガード部６１と照射窓２３が必然的に近くなるので、ガード部６１をコリメータ２１の前面２２から突出できる量が、Ｘ線の照射範囲に重なりやすくなってしまうからである。この点、コリメータ２１の前面２２にガード部を取り付ける場合と比較して、Ｘ線管装置１０は、コリメータ２１の側方から、すなわち、相対的に照射窓２３から遠い位置からガード部６１を突出することができる。この結果、Ｘ線管装置１０を小型化した場合でも、必要十分なガード部６１の突出量が確保できる。
【００３７】
コネクタ５１Ａ及びコネクタ５１Ｂを用いてＸ線管装置１０と接続するガード部６１は、例えば、図６に示すように、第１柱部６２Ａ、第２柱部６２Ｂ、第３柱部６２Ｃ、及び、第４柱部６２Ｄを有する。また、第１柱部６２Ａ、第２柱部６２Ｂ、第３柱部６２Ｃ、及び、第４柱部６２Ｄのうち２つを相互に接続する第１梁部６３Ａ、第２梁部６３Ｂ、第３梁部６３Ｃ、及び、第４梁部６３Ｄを有する。
【００３８】
第１柱部６２Ａ、第２柱部６２Ｂ、第３柱部６２Ｃ、及び、第４柱部６２Ｄは、ガード部６１のうち、コリメータ２１の前面２２（第２表面）よりもＸ線の照射方向Ｌ１に向けて延伸した部分である。これらは、Ｘ線管装置１０を側方（Ｘ方向またはＹ方向）から見た場合に、少なくともコリメータ２１の前面２２の位置（前面２２を含むＸＹ平面）を横切る。
【００３９】
第１柱部６２Ａは、ガード部６１のうち、コリメータ２１のＸ方向正側かつＹ方向正側において概ねＺ方向に延伸した部分である。第２柱部６２Ｂは、ガード部６１のうち、コリメータ２１のＸ方向負側かつＹ方向正側において概ねＺ方向に延伸した部分である。第３柱部６２Ｃは、コリメータ２１のＸ方向負側かつＹ方向負側において概ねＺ方向に延伸した部分である。同様に、第４柱部６２Ｄは、ガード部６１のうち、コリメータ２１のＸ方向正側かつＹ方向負側において概ねＺ方向に延伸した部分である。
【００４０】
第１梁部６３Ａ、第２梁部６３Ｂ、第３梁部６３Ｃ、及び、第４梁部６３Ｄは、Ｘ線の照射方向Ｌ１に垂直な方向（すなわち概ねＸ方向またはＹ方向）に、上記各柱部６２Ａ〜６２Ｄのうち２つを接続する。
【００４１】
第１梁部６３Ａは、コリメータ２１の前面２２よりも被検体の側（Ｚ方向正側）において、第１柱部６２Ａと第４柱部６２Ｄとを、概ねＹ方向に接続する。すなわち、本体１１が直方体形状である場合、第１梁部６３Ａは、第１柱部６２Ａと第４柱部６２Ｄとを、本体１１の前面１２の短手方向７２に概ね平行に接続する。また、第１梁部６３Ａは、第１柱部６２Ａと第４柱部６２ＤのＺ方向正側の先端部を接続する。このため、第１柱部６２Ａと第４柱部６２Ｄは、第１柱部６２Ａよりも被検体の側には突出しない。
【００４２】
第２梁部６３Ｂは、コリメータ２１の前面２２よりも被検体の側において、第２柱部６２Ｂと第３柱部６２Ｃとを、概ねＹ方向に接続する。すなわち、本体１１が直方体形状である場合、第２梁部６３Ｂは、第２柱部６２Ｂと第３柱部６２Ｃとを、本体１１の前面１２の短手方向７２に概ね平行に接続する。また、第２梁部６３Ｂは、第２柱部６２Ｂと第３柱部６２ＣのＺ方向正側の先端部を接続する。このため、第２柱部６２Ｂと第３柱部６２Ｃは、第２梁部６３Ｂよりも被検体の側には突出しない。
【００４３】
第３梁部６３Ｃは、コリメータ２１の前面２２よりも本体１１の前面１２（第１表面）の側において、第１柱部６２Ａと第２柱部６２Ｂとを、概ねＸ方向に接続する。すなわち、本体１１が直方体形状である場合、第３梁部６３Ｃは、第１柱部６２Ａと第２柱部６２Ｂとを、本体１１の前面１２の長手方向７１に概ね平行に接続する。また、第３梁部６３Ｃは、第１柱部６２Ａと第２柱部６２ＢのＺ方向負側の先端部を接続する。なお、第３梁部６３Ｃは、内面（コリメータ２１側の面）の所定位置（コネクタ５１Ａと接合し得る位置）には、コネクタ５１Ａと接続するガード部側コネクタ６４を設ける。第３梁部６３Ｃにガード部側コネクタ６４を設けると、コネクタ５１Ａの全体を第３梁部６３Ｃで支えられ、かつ、第３梁部６３Ｃで衝撃等を吸収できるので、ガード部６１の接続強度及び／または耐衝撃性等が良い。
【００４４】
第４梁部６３Ｄは、コリメータ２１の前面２２よりも本体１１の前面１２の側において、第３柱部６２Ｃと第４柱部６２Ｄとを、概ねＸ方向に接続する。すなわち、本体１１が直方体形状である場合、第４梁部６３Ｄは、第３柱部６２Ｃと第４柱部６２Ｄとを、本体１１の前面１２の長手方向７１に概ね平行に接続する。また、第４梁部６３Ｄは、第３柱部６２Ｃと第４柱部６２ＤのＺ方向負側の先端部を接続する。なお、第４梁部６３Ｄは、内面（コリメータ２１側の面）の所定位置（コネクタ５１Ｂと接続し得る位置）に、コネクタ５１Ｂと接続するガード部側コネクタ（図示しない）を有する。第４梁部６３Ｄにガード部側コネクタを設けると、コネクタ５１Ｂの全体を第４梁部６３Ｄで支えられ、かつ、第４梁部６３Ｄで衝撃等を吸収できるので、ガード部６１の接続強度及び／または耐衝撃性等が良い。
【００４５】
上記形状のガード部６１は、Ｘ線管装置１０のコネクタ５１Ａ及びコネクタ５１Ｂと接続し得る様々な形状のガード部の中で、相対的に耐衝撃性（衝撃吸収性）等が良い。また、繰り返しの使用によっても、ガード部６１及びコネクタ５１Ａ等が劣化し難い。
【００４６】
なお、図７に示すように、ガード部６１は、第１柱部６２Ａと第２柱部６２Ｂの間隔がＸ線の照射方向Ｌ１（Ｚ方向正側）に向けて広がる形状である。第３柱部６２Ｃと第４柱部６２Ｄの間隔も同様である。このように、第１柱部６２Ａと第２柱部６２Ｂの間隔、及び、第３柱部６２Ｃと第４柱部６２Ｄの間隔がＸ線の照射方向Ｌ１に向けて広がる形状としているのは、Ｘ線管装置１０のコネクタ５１Ａ及びコネクタ５１Ｂと接続し得る様々な形状のガード部の中で、相対的に耐衝撃性（衝撃吸収性）等が良いからである。また、ガード部６１が被検体に接触する際の被検体に加わる衝撃力を低減できる。この他、第１柱部６２Ａと第２柱部６２Ｂの間隔、及び、第３柱部６２Ｃと第４柱部６２Ｄの間隔が一定である場合、または、第１柱部６２Ａと第２柱部６２Ｂの間隔、及び、第３柱部６２Ｃと第４柱部６２Ｄの間隔がＸ線の照射方向Ｌ１に向けて先細りとなる形状である場合と比較して、診察台等に縦向きに（左面１４Ｄを診察台等に当接する向きに）Ｘ線管装置１０を載置しても、Ｘ線の照射方向Ｌ１を被検体に向けやすいという利点もある。
【００４７】
本体１１が直方体形状である場合には、本体１１の前面１２の長手方向７１での比較において、ガード部６１の長さ（幅Ｗ２）はコリメータ２１の長さ（幅Ｗ１）よりも長く、かつ、ガード部６１の長さ（幅Ｗ２）は本体１１の長さ（幅Ｗ３）よりも短いとよい（図７参照）。Ｘ線管装置１０を使用する際に、ガード部６１が邪魔にならず、ガード部６１が被検体等に接触した場合にコネクタ５１Ａ及びコネクタ５１Ｂにかかる負荷が小さく、かつ、被検体との距離を必要な距離に保ち得るからである。
【００４８】
図８に示すように、ガード部６１は、第１柱部６２Ａと第４柱部６２Ｄの間隔がＸ線の照射方向Ｌ１に沿ってほぼ一定であり、第１柱部６２Ａと第４柱部６２Ｄはほぼ平行である。第２柱部６２Ｂと第３柱部６２Ｃの間隔も同様である。このように、第１柱部６２Ａと第４柱部６２Ｄの間隔、及び、第２柱部６２Ｂと第３柱部６２Ｃの間隔をほぼ一定としているのは、Ｘ線管装置１０を診察台等に横向きに（下面１４Ｂを診察台等に当接する向きに）載置する場合に、Ｘ線の照射方向Ｌ１を被検体に向けやすいからである。
【００４９】
本体１１が直方体形状である場合には、本体１１の前面１２の短手方向７２での比較において、ガード部６１の長さ（高さＨ２）はコリメータ２１の長さ（高さＨ１）よりも長く、かつ、ガード部６１の長さ（高さＨ２）は本体１１の長さ（高さＨ３）よりも短いとよい（図８参照）。Ｘ線管装置１０を使用する際に、ガード部６１が邪魔にならず、かつ、被検体との距離を必要な距離に保ち得るからである。
【００５０】
なお、上記実施形態においては、コネクタ５１Ａ及びコネクタ５１Ｂをコリメータ２１の基端部２１Ａに設けているが、コネクタ５１Ａ及びコネクタ５１Ｂは本体１１に設けることができる。例えば、図９に示すＸ線管装置８１のように、本体１１がコリメータ２１を設ける部分に凸部８２を有する場合、凸部８２は、本体１１の前面１２とコリメータ２１の前面２２の間の範囲５３に属する。このため、本体１１の一部である凸部８２にコネクタ５１Ａ及びコネクタ５１Ｂを設けることができる。
【符号の説明】
【００５１】
１０  Ｘ線管装置
１１  本体
１２  本体の前面
１３  後面
１４  側面
１４Ａ  上面
１４Ｂ  下面
１４Ｃ  右面
１４Ｄ  左面
１６  操作部
１７  管球
１８  バッテリ
１９  制御回路
２１  コリメータ
２１Ａ  基端部
２２  コリメータの前面
２３  照射窓
３１  把持部
３２  平板部
３３Ａ、３３Ｂ  接続点
４１  スイッチ
４２  支持体
４３  ボタン
５１Ａ、５１Ｂ  コネクタ
５３  範囲
６１  ガード部
６２Ａ  第１柱部
６２Ｂ  第２柱部
６２Ｃ  第３柱部
６２Ｄ  第４柱部
６３Ａ  第１梁部
６３Ｂ  第２梁部
６３Ｃ  第３梁部
６３Ｄ  第４梁部
６４  ガード部側コネクタ
７１  長手方向
７２  短手方向
８１  Ｘ線管装置
８２  凸部
Ｌ１  Ｘ線の照射方向
Ｗ１、Ｗ２、Ｗ３  幅
【図１】
0006921310.tif 000002
【図２】
0006921310.tif 000003
【図３】
0006921310.tif 000004
【図４】
0006921310.tif 000005
【図５】
0006921310.tif 000006
【図６】
0006921310.tif 000007
【図７】
0006921310.tif 000008
【図８】
0006921310.tif 000009
【図９】
0006921310.tif 000010